(57)【要約】【課題】簡素な構造で、ガードを開いた位置でその姿勢を維持できることにより使い勝手に優れたガード回転ロック機構を提供する。【解決手段】座部３１１Ｂと背もたれ部とを備えたシート本体３１０に、子供の動きを規制するガード３５０を揺動可能に取り付ける。ガードが回転部３５３を有し、座部３１１Ｂの前縁に受容部３６０が凹設され、回転部３５３を受容部３６０に回転可能に支持しており、回転部３５３には、突起部３５５Ｅを有する回転止め３５５を取り付け、受容部３６０にロック溝３６５を形成し、回転止め３５５の突起部３５５Ｅが受容部３６０のロック溝３６５に嵌入することでガード３５０の揺動が規制されて、シート本体３１０とガード３５０との間隔が一定に維持される。【選択図】図８
2007237813.tif 000002
【特許請求の範囲】
【請求項１】
シートに着座した子供の動きを規制するガードを、シート本体の座部に揺動可能に取り付けたシート構造であって、
上記ガードが回転部を有し、この回転部が上記座部の前縁に凹設された受容部に回転可能に支持されて成り、
上記回転部には、突起部を有する回転止めが設けられ、
上記受容部には、ロック溝が形成されていて、
上記回転止めの突起部が上記受容部のロック溝に嵌入することで上記ガードの揺動が規制されて、上記シート本体と上記ガードとの間隔を一定に維持し得るようにしたことを特徴とする、ガード回転ロック機構。
【請求項２】
シートに着座した子供の動きを規制するガードを、シート本体の座部に揺動可能に取り付けたシート構造であって、
上記ガードが、腹当接部と、該腹当接部の下端から下方へ延出した股当接部と、該股当接部の先端に形成された回転部と、を備え、この回転部が上記座部の前縁に凹設された受容部に回転可能に支持されて成り、
上記回転部には、突起部を有する回転止めが設けられ、
上記受容部には、ロック溝が形成されていて、
上記回転止めの突起部が上記受容部のロック溝に嵌入することで上記ガードの揺動が規制されて、上記シート本体と上記ガードとの間隔を一定に維持し得るようにしたことを特徴とする、ガード回転ロック機構。
【請求項３】
前記回転止めは全体が断面略Ｕ状に形成されていて、前記回転部に形成された凹部に当接するベース部と、該ベース部の底面から突出し上記凹部に形成された孔に嵌入する凸部と、上記ベース部の縁部から円弧状に延出した湾曲部と、該湾曲部の縁部から延出して上記ベース部に対して傾斜している傾斜部と、該傾斜部の先端に形成されている前記突起部と、から弾性変形可能に構成され、また、前記受容部は断面半円弧状の湾曲部を有し、該湾曲部に前記ロック溝が形成されており、
前記ガードの揺動に連動して、上記回転止めが上記受容部の湾曲部に沿って摺動し、上記回転止めの突起部が上記受容部のロック溝に嵌入することで、ガードが所定の位置でロックされることを特徴とする、請求項１又は２に記載のガード回転ロック機構。
【請求項４】
前記ロック溝は、前記受容部の湾曲部においてシート本体の背もたれ部寄りの位置に形成され、前記突起部が前記ロック溝に嵌入した状態におけるガードのシート本体との間隔が、前記ガードの腹当接部を着座した子供の腹部に当てた状態におけるガードのシート本体との間隔よりも広いことを特徴とする、請求項３に記載のガード回転ロック機構。
【請求項５】
腰ベルトが前記ガードと前記背もたれ部とに挿通してループを形成し、このループ内に子供を入れて、着座した子供の動きを規制することを特徴とする、請求項１乃至４の何れかに記載のガード回転ロック機構。
【請求項６】
座部と背もたれ部とを備えたシート本体と、上記座部に着座した子供の動きを規制するガードと、を備えたシートであって、
請求項１乃至５の何れかに記載のガード回転ロック機構を備えて、上記ガードの回転が規制されることを特徴とする、シート。
【請求項７】
下部に複数の走行輪を備えたカート本体と、カート本体に支持されたチャイルドシートと、を備えたショッピングカートであって、
上記チャイルドシートが、座部と背もたれ部とを備えたシート本体と、座部に着座した子供の動きを規制するガードと、ガードの回転を規制するガード回転ロック機構と、を備え、
上記ガードが回転部を有し、この回転部が上記座部の前縁に凹設された受容部に回転可能に支持されて成り、
上記回転部には、突起部を有する回転止めが設けられ、
上記受容部には、ロック溝が形成されていて、
上記回転止めの突起部が上記受容部のロック溝に嵌入することで上記ガードの揺動が規制されて、上記シート本体と上記ガードとの間隔を一定に維持し得るようにしたことを特徴とする、ショッピングカート。
【請求項８】
下部に複数の走行輪を備えたカート本体と、カート本体に支持されたチャイルドシートと、を備えたショッピングカートであって、
上記チャイルドシートが、座部と背もたれ部とを備えたシート本体と、座部に着座した子供の動きを規制するガードと、ガードの回転を規制するガード回転ロック機構と、を備え、
上記ガードが、腹当接部と、該腹当接部の下端から下方へ延出した股当接部と、該股当接部の先端に形成された回転部と、を備え、上記シート本体が、上記座部の前縁に凹設した受容部を有していて、上記回転部は上記受容部に回転可能に支持されており、
上記ガードが、腹当接部と、該腹当接部の下端から下方へ延出した股当接部と、該股当接部の先端に形成された回転部と、を備え、この回転部が上記座部の前縁に凹設された受容部に回転可能に支持されて成り、
上記回転部には、突起部を有する回転止めが設けられ、
上記受容部には、ロック溝が形成されていて、
上記回転止めの突起部が上記受容部のロック溝に嵌入することで上記ガードの揺動が規制されて、上記シート本体と上記ガードとの間隔を一定に維持し得るようにしたことを特徴とする、ガード回転ロック機構。
【請求項９】
前記回転止めは全体が断面略Ｕ状に形成されていて、前記回転部に形成された凹部に当接するベース部と、該ベース部の底面から突出し上記凹部に形成された孔に嵌入する凸部と、上記ベース部の縁部から円弧状に延出した湾曲部と、該湾曲部の縁部から延出して上記ベース部に対して傾斜している傾斜部と、該傾斜部の先端に形成されている前記突起部と、から弾性変形可能に構成され、また、前記受容部は断面半円弧状の湾曲部を有し、該湾曲部に前記ロック溝が形成されており、
前記ガードの揺動に連動して、上記回転止めが上記受容部の湾曲部に沿って摺動し、上記回転止めの突起部が上記受容部のロック溝に嵌入することで、ガードが所定の位置でロックされることを特徴とする、請求項７又は８に記載のショッピングカート。
【請求項１０】
前記ロック溝は、前記受容部の湾曲部においてシート本体の背もたれ部寄りの位置に形成され、前記突起部が前記ロック溝に嵌入した状態におけるガードのシート本体との間隔が、前記ガードの腹当接部を着座した子供の腹部に当てた状態におけるガードのシート本体との間隔よりも広いことを特徴とする、請求項９に記載のショッピングカート。
【請求項１１】
腰ベルトが前記ガードと前記背もたれ部とに挿通してループを形成し、このループ内に子供を入れて、着座した子供の動きを規制することを特徴とする、請求項７乃至１０の何れかに記載のショッピングカート。
【発明の詳細な説明】
【技術分野】
【０００１】
本発明は、ガードを揺動可能にシートに取り付ける構造に関し、特に、ガードが開いた状態をロックし回転を規制することができるガード回転ロック機構と、ガード回転ロック機構を備えたシート、並びにそれを備えたショッピングカートに関する。
【背景技術】
【０００２】
近年のスーパーマーケットや大型量販店などの店舗施設においては、買い物客が購入する商品を搬送するためのショッピングカートが用意され、買い物客はショッピングカートを押しながら店舗施設内を移動し、買い物かごに商品を入れてショッピングを行う。このように、ショッピングカートに多数の商品を積載できるので、買い物かごを持って移動する場合に比べて買い物客は楽にショッピングを行える。
【０００３】
さらに、最近では、特許文献１に示すように、チャイルドシートを装備したショッピングカートも普及している。また、チャイルドシートに子供を載せた状態でショッピングカートを移動させるため、子供がチャイルドシートから落下するのを防止するために、チャイルドシートに脱落防止用のガードを備えたショッピングカートも普及している（特許文献２参照）。
【０００４】
しかし、特許文献２に示すショッピングカートのチャイルドシートでは、脱落防止用のガードがチャイルドシートにビスや溶接等で固定されているため、子供をチャイルドシートに着座させるときやチャイルドシートから子供を降ろす際に、子供の足などがガードに引っ掛かったりして取り扱いが不便であった。
【０００５】
そこで、図９に示すように、子供をチャイルドシートに着座させたり降ろしたりする際に、脱落防止用のガードが移動して、チャイルドシートと脱落防止用のガードとの間が拡開するようにしたチャイルドシート５０が開発された。
【０００６】
図９に示すチャイルドシート５０は、シート本体５１と、シート本体５１に揺動可能に取り付けたガード５２とを備えている。図中のＦｒは前方を、Ｕｐは上方を、Ｗは横幅方向を示す。
シート本体５１は、合成樹脂により形成されており、子供を収容する収容部５３を備えている。収容部５３は、図示するように、背もたれ部５３Ａ、座部５３Ｂ、肘置きガード部５３Ｃとが一体に形成されており、それらに囲まれて収容空間Ｓが画成されている。
【０００７】
ガード５２は、収容部５３に入った子供がチャイルドシート５０から脱落するのを防止するためのものであり、ガード５２と背もたれ部５３Ａとに通した腰ベルト５４で子供の胴体を拘束するループを形成し、ベルト５４の長さを調節して、座部５３Ｂに着座した子供がチャイルドシート５０から脱落するような動作を規制するようになっている。
【０００８】
このガード５２は、図９に示すように、腹当接部５２Ａと、腹当接部５２Ａの下端から下方へ延出した股当接部５２Ｂと、股当接部５２Ｂの先端に形成された回転部５２Ｃと、から構成され、この回転部５２Ｃは、シート本体５１の座部５３Ｂの前縁に凹設された受容部５５に回転可能に収容されている。
【０００９】
回転部５２Ｃには、図１０に示すように、回転軸５６が取り付けられ、この回転軸５６は受容部５５に回転可能に支持されている。回転軸５６にはバネ５７が巻回されていて、このバネ５７によってガード５２が常に前方へ移動するように付勢されている。すなわち、シート本体５１とガード５２との間を拡開させるように、ガード５２には前方への付勢力が常に働いている。
【特許文献１】特開２００２−２２００５５号公報
【特許文献２】特開２００２−２９４２４号公報
【発明の開示】
【発明が解決しようとする課題】
【００１０】
しかし、図９及び図１０に示すチャイルドシート５０では、バネ５７の付勢力でガード５２を開く機構として、回転軸５６とバネ５７とを必要とし、しかも回転軸５６とバネ５７の形状がともに複雑で、製造コストが嵩む原因となっていた。
【００１１】
本発明は、以上の点に鑑み、簡素な構造で、ガードを開いた位置でその姿勢を維持できることにより使い勝手を向上させたガード回転ロック機構と、それを備えたシート並びにショッピングカートを提供することを目的とする。
【課題を解決するための手段】
【００１２】
上記目的を達成するために、本発明のガード回転ロック機構の一構成は、シートに着座した子供の動きを規制するガードを、シート本体の座部に揺動可能に取り付けたシート構造において、ガードが回転部を有し、この回転部が座部の前縁に凹設された受容部に回転可能に支持されて成り、回転部には、突起部を有する回転止めが設けられ、受容部には、ロック溝が形成されていて、回転止めの突起部が受容部のロック溝に嵌入することでガードの揺動が規制されて、シート本体とガードとの間隔を一定に維持し得るようにしたことを特徴とする。
【００１３】
上記目的を達成するために、本発明のガード回転ロック機構の他の構成は、シートに着座した子供の動きを規制するガードを、シート本体の座部に揺動可能に取り付けたシート構造において、ガードが、腹当接部と、腹当接部の下端から下方へ延出した股当接部と、股当接部の先端に形成された回転部と、を備え、この回転部が座部の前縁に凹設された受容部に回転可能に支持されて成り、回転部には、突起部を有する回転止めが設けられ、受容部には、ロック溝が形成されていて、回転止めの突起部が受容部のロック溝に嵌入することでガードの揺動が規制されて、シート本体とガードとの間隔を一定に維持し得るようにしたことを特徴としている。
【００１４】
上記各構成において、回転止めは全体が断面略Ｕ状に形成されていて、回転部に形成された凹部に当接するベース部と、ベース部の底面から突出し凹部に形成された孔に嵌入する凸部と、ベース部の縁部から円弧状に延出した湾曲部と、湾曲部の縁部から延出してベース部に対して傾斜している傾斜部と、傾斜部の先端に形成されている突起部と、から弾性変形可能に構成され、また、受容部は断面半円弧状の湾曲部を有し、湾曲部にロック溝が形成されており、ガードの揺動に連動して、回転止めが上記受容部の湾曲部に沿って摺動し、回転止めの突起部が受容部のロック溝に嵌入することで、ガードが所定の位置でロックされる。
【００１５】
ロック溝は、好ましくは、受容部の湾曲部においてシート本体の背もたれ部寄りの位置に形成され、突起部がロック溝に嵌入した状態におけるガードのシート本体との間隔が、ガードの腹当接部を着座した子供の腹部に当てた状態におけるガードのシート本体との間隔よりも広くなっている。
【００１６】
本発明のガード回転ロック機構は、腰ベルトがガードと背もたれ部とに挿通してループを形成し、このループ内に子供を入れて、着座した子供の動きを規制している。
【００１７】
また、本発明のシートは、座部と背もたれ部とを備えたシート本体と、座部に着座した子供の動きを規制するガードと、を備えていて、上記したガード回転ロック機構を備えて、ガードの回転が規制されていることを特徴としている。
【００１８】
さらに、本発明のショッピングカートの一構成は、下部に複数の走行輪を備えたカート本体と、カート本体に支持されたチャイルドシートと、を備えていて、チャイルドシートが、座部と背もたれ部とを備えたシート本体と、座部に着座した子供の動きを規制するガードと、ガードの回転を規制するガード回転ロック機構と、を備え、ガードが回転部を有し、この回転部が座部の前縁に凹設された受容部に回転可能に支持されて成り、回転部には、突起部を有する回転止めが設けられ、受容部にはロック溝が形成されていて、回転止めの突起部が受容部のロック溝に嵌入することでガードの揺動が規制されて、シート本体とガードとの間隔を一定に維持し得るようにしたことを特徴としている。
【００１９】
本発明のショッピングカートの他の構成は、下部に複数の走行輪を備えたカート本体と、カート本体に支持されたチャイルドシートと、を備えていて、チャイルドシートが、座部と背もたれ部とを備えたシート本体と、座部に着座した子供の動きを規制するガードと、ガードの回転を規制するガード回転ロック機構と、を備え、ガードが、腹当接部と、腹当接部の下端から下方へ延出した股当接部と、股当接部の先端に形成された回転部と、を備え、シート本体が、座部の前縁に凹設した受容部を有していて、回転部は受容部に回転可能に支持されており、ガードが、腹当接部と、腹当接部の下端から下方へ延出した股当接部と、股当接部の先端に形成された回転部と、を備え、この回転部が上記座部の前縁に凹設された受容部に回転可能に支持されて成り、回転部には、突起部を有する回転止めが設けられ、受容部にはロック溝が形成されていて、回転止めの突起部が受容部のロック溝に嵌入することでガードの揺動が規制されて、シート本体とガードとの間隔を一定に維持し得るようにしたことを特徴としている。
【００２０】
前記各構成において、回転止めは全体が断面略Ｕ状に形成されていて、回転部に形成された凹部に当接するベース部と、ベース部の底面から突出し凹部に形成された孔に嵌入する凸部と、ベース部の縁部から円弧状に延出した湾曲部と、湾曲部の縁部から延出してベース部に対して傾斜している傾斜部と、傾斜部の先端に形成されている突起部と、から弾性変形可能に構成され、また、受容部は断面半円弧状の湾曲部を有し、湾曲部にロック溝が形成されており、ガードの揺動に連動して、回転止めが受容部の湾曲部に沿って摺動し、回転止めの突起部が受容部のロック溝に嵌入することで、ガードが所定の位置でロックされる。
【００２１】
ロック溝は、好ましくは、受容部の湾曲部においてシート本体の背もたれ部寄りの位置に形成され、突起部がロック溝に嵌入した状態におけるガードのシート本体との間隔が、ガードの腹当接部を着座した子供の腹部に当てた状態におけるガードのシート本体との間隔よりも広くなっている。
【００２２】
腰ベルトはガードと背もたれ部とに挿通してループを形成し、このループ内に子供を入れて、着座した子供の動きを規制している。
【発明の効果】
【００２３】
本発明によれば、簡素な構造で、ガードを前方へ移動させてシート本体とガードとの間を拡開させて、その状態を維持し得ることから、チャイルドシートへの子供の乗降などに便利である。特に、本発明では、ガードの回転をロックする機構が、主に回転止めとそれが嵌合するロック溝とだけで実現できるため、構造が単純で、その製造コストも非常に安価である。
【発明を実施するための最良の形態】
【００２４】
以下、図面に基づいて、本発明の実施形態を説明する。
図１は本発明の実施形態に係るショッピングカート１０の前方斜視図、図２は図１のショッピングカート１０の後方斜視図、図３は図１のショッピングカート１０の正面図、図４は図１のショッピングカート１０の側面図である。図中のＦｒはショッピングカート前方を、Ｕｐは上方を、Ｗはショッピングカートの横幅方向を示す。これらの図に示すように、ショッピングカート１０は、カート本体１００とそれに取り付けた走行輪２００とカート本体１００に支持されたチャイルドシート３００とを備えている。
【００２５】
ショッピングカート１０を構成するカート本体１００は、複数の鋼製等のパイプを折り曲げ、それらを相互に溶接により接合したフレームとして構成されている。具体的には、カート本体１００は、ベースフレーム１１０と、ベースフレーム１１０から立設していて主としてチャイルドシート３００を支持するシート支持フレーム１２０と、このシート支持フレーム１２０の後側に配設されていると共にベースフレーム１１０から立設して使用者がショッピングカート１０を押す際に把持するハンドルフレーム１３０と、から構成されている。
【００２６】
各フレーム１１０，１２０，１３０の詳細を下記に説明する。
ベースフレーム１１０は、「ハ」の字状に互いの間隔が前方に行くにつれて狭くなるように水平に並設した一対の直線状の棒材１１１Ｒ，１１１Ｌと、これらの各棒材１１１Ｒ，１１１Ｌの前端を連結するように横幅水平方向に直線状に延出した第１連結棒材１１２と、から構成されている。
【００２７】
ベースフレーム１１０は、例えば、一本の棒状の鋼材を折り曲げて、一対の棒材１１１Ｒ，１１１Ｌと第１連結棒材１１２とが一体となって構成されてもよいし、一対の棒材１１１Ｒ，１１１Ｌと第１連結棒材１１２とを別々に製造し、それらを接合して一体物として構成されたものでもよい。各棒材１１１Ｒ，１１１Ｌと第１連結棒材１１２とで形成されるコーナーは円弧状に湾曲して形成されている。
【００２８】
ベースフレーム１１０には、左右の棒材１１１Ｒ，１１１Ｌの後端に近接した位置において、これら左右の棒材１１１Ｒ，１１１Ｌに第１架設材１１４が架設されている。この第１架設材１１４は、左右の棒材１１１Ｒ，１１１Ｌに接合されていて上方へ立ち上がった起立部１１４Ｒ，１１４Ｌと、各起立部１１４Ｒ，１１４Ｌの上端部を連結するように横幅水平方向に直線状に延出した横部１１４Ｃと、から構成されている。上記ベースフレーム１１０にはまた、第１連結棒材１１２の内周面と第１架設材１１４とに掛け渡すように、また、左右の棒材１１１Ｒ，１１１Ｌの先端寄りの内周面と第１架設材１１４とに掛け渡すように、複数の金属棒部１１５が配設されている。
【００２９】
複数の金属棒部１１５は互いに略平行に前後方向に延出していて、その前端又は後端が隣接する金属棒の前端又は後端と繋がっているように、一本の金属棒を前後に複数回折り返して形成されたものである。また、各金属棒部１１５は、先端から中間部位までが後方にいくにつれてゆるやかに高くなるよう傾いた緩斜部１１５Ａと、緩斜部１１５Ａの後端から後方に向けて急に上向きに傾斜した段差部１１５Ｂと、段差部１１５Ｂの後端から後方に向けて水平に延出した水平部１１５Ｃと、を備えていて、これらの金属棒部１１５上に荷物を載置することができるようになっている。特に、複数の金属棒部１１５の水平部１１５Ｃは、相互に協働して買い物かご（図示省略）を載置する台座として機能する。各水平部１１５Ｃに載置した買い物かごが後方に移動して落下するのを防止するために、隣接する金属棒部１１５同士の連結した後端部が斜め後方に傾斜して、ストッパー１１５Ｓが形成されている。各金属棒部１１５の水平部１１５Ｃは、前述の第１架設材１１４に固定されて下から支持されている。各金属棒部１１５の緩斜部１１５Ａも、横幅水平方向に直線状に延出した第２架設材１１７に溶接によって接合されていて、各金属棒部１１５の剛性が高められている。
【００３０】
シート支持フレーム１２０は、ベースフレーム１１０の左右の各棒材１１１Ｒ，１１１Ｌの後端から各棒材１１１Ｒ，１１１Ｌの全長の１／４程度の距離前方に離れた位置に下部が固定されていて上方へ起立した第１垂直棒材１２１Ｒ，１２１Ｌと、各第１垂直棒材１２１Ｒ，１２１Ｌの上端から斜め前方へ延出した第１傾斜棒材１２２Ｒ，１２２Ｌと、各第１傾斜棒材１２２Ｒ，１２２Ｌの上端を連結するように横幅水平方向に直線状に延出した第２連結棒材１２３と、から構成されている。左右の各第１傾斜棒材１２２Ｒ，１２２Ｌは、図３に示すように、上方にいくにつれて相互の間隔が狭くなるように、幅方向内側にも緩やかに傾斜している。
【００３１】
シート支持フレーム１２０は、例えば、一本の棒状の鋼材を折り曲げて、一対の第１垂直棒材１２１Ｒ，１２１Ｌ，一対の第１傾斜棒材１２２Ｒ，１２２Ｌ，第２連結棒材１２３とが一体となって構成されてもよく、一対の第１垂直棒材１２１Ｒ，１２１Ｌ，一対の第１傾斜棒材１２２Ｒ，１２２Ｌ，第２連結棒材１２３とを別々に製造し、それらを接合した一体物として構成されてもよい。各第１垂直棒材１２１Ｒ，１２１Ｌと第１傾斜棒材１２２Ｒ，１２２Ｌとで形成されるコーナーと、第１傾斜棒材１２２Ｒ，１２２Ｌと第２連結棒材１２３とで形成されるコーナーも円弧状に湾曲して形成されている。
【００３２】
ハンドルフレーム１３０は、ベースフレーム１１０の左右の各棒材１１１Ｒ，１１１Ｌの後端に下部が接合していて上方へ起立した第２垂直棒材１３１Ｒ，１３１Ｌと、各第２垂直棒材１３１Ｒ，１３１Ｌの上端から斜め前方へ延出した第２傾斜棒材１３２Ｒ，１３２Ｌと、各第２傾斜棒材１３２Ｒ，１３２Ｌの上端から斜め後方へ延出した第３傾斜棒材１３３Ｒ，１３３Ｌと、各第３傾斜棒材１３３Ｒ，１３３Ｌの上端を連結するように横幅水平方向に直線状に延出した第３連結棒材１３４と、から構成されている。左右の各第２傾斜棒材１３２Ｒ，１３２Ｌ及び第３傾斜棒材１３３Ｒ，１３３Ｌは、図３に示すように、上方にいくにつれて相互の間隔が狭くなるように、幅方向内側にも緩やかに傾斜している。
【００３３】
ハンドルフレーム１３０も、例えば、一本の棒状の鋼材を折り曲げて、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とが一体となって構成されてもよいし、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とを別々に製造し、それらを接合した一体物として構成されたものでもよい。
【００３４】
また、各第２垂直棒材１３１Ｒ，１３１Ｌと第２傾斜棒材１３２Ｒ，１３２Ｌとで形成されるコーナーと、第２傾斜棒材１３２Ｒ，１３２Ｌと第３傾斜棒材１３３Ｒ，１３３Ｌとで形成されるコーナーと、第３傾斜棒材１３３Ｒ，１３３Ｌと第３連結棒材１３４とで形成されるコーナーも、円弧状に湾曲して形成されている。第２傾斜棒材１３２Ｒ，１３２Ｌと第３傾斜棒材１３３Ｒ，１３３Ｌとで形成されるコーナーは、シート支持フレーム１２０における第１傾斜棒材１２２Ｒ，１２２Ｌと第２連結棒材１２３とで形成されるコーナーに近接した後方位置に配置されている。
【００３５】
シート支持フレーム１２０の第２連結棒材１２３に近接した後方の位置で、ハンドルフレーム１３０の第２傾斜棒材１３２Ｒ，１３２Ｌと第３傾斜棒材１３３Ｒ，１３３Ｌとで形成される左右のコーナー同士を架設するように、第３横架材１３５が設けられている。この第３横架材１３５は、シート支持フレーム１２０の第２連結棒材１２３の後方で、第２連結棒材１２３と略平行状態で延びている。
【００３６】
ベースフレーム１１０の左右の棒材１１１Ｒ，１１１Ｌと第１連結棒材１１２とで形成されるコーナーの下側には、それぞれ走行輪２００，２００が取り付けられており、また、ハンドルフレーム１３０の各第２垂直棒材１３１Ｒ，１３１Ｌの下端部にも走行輪２００，２００が取り付けられている。これにより、ショッピングカート１０は、前輪２つと後輪２つとを備える構造となり、各車輪が転動するとともに、各車輪が鉛直軸まわりに３６０度回転可能に支持されていることで、全ての方向に移動可能で且つ旋回可能になっている。
【００３７】
シート支持フレーム１２０の第２連結棒材１２３と、ハンドルフレーム１３０の第３横架材１３５との上にはチャイルドシート３００の下部が固定されている。このチャイルドシート３００は前向き状態でカート本体１００に装着されている。チャイルドシート３００は、シート本体３１０と、シート本体３１０に揺動可能に取り付けたガード３５０とを備えている。
【００３８】
シート本体３１０は合成樹脂により形成されており、子供を収容する収容部３１１と、この収容部３１１の背面を覆うカバー３１２とから構成されている。収容部３１１は、図示するように、背もたれ部３１１Ａ、座部３１１Ｂ、肘置きガード部３１１Ｃとで一体に形成されており、それらに囲まれて収容空間Ｓが画成されている。なお、背もたれ部３１１Ａの子供の頭部が当接する部位には、ヘッドサポート３７０が設けられている。
【００３９】
ガード３５０は、収容部３１１に入った子供がチャイルドシート３００から脱落するのを防止するためのものであり、ガード３５０と背もたれ部３１１Ａとに通した腰ベルト３８０で子供の胴体を拘束するループを形成し、ベルト３８０の長さを調節して、座部３１１Ｂに着座した子供がチャイルドシートから脱落するような動作を規制する。
【００４０】
上記チャイルドシート３００には、リクライニング機構が内蔵されており、チャイルドシート３００の背面のカバー上部に取り付けられているレバー３９０を操作することで、チャイルドシート自体の傾斜角度を変えることができる。
【００４１】
ショッピングカート１０の先端部、即ちベースフレーム１１０の第１連結棒材１１２には、壁などの障害物との衝突を緩和するために、ゴムなどの緩衝部材１１８が装着されている。また、ハンドルフレーム１３０の金属製の第３連結棒材１３４には、使用者がハンドルフレーム１３０を握り易くするために、合成樹脂製のグリップ１３８が装着されている。
【００４２】
このように構成されたショッピングカート１０は、後方から前方にいくにつれて幅が狭くなるとともに、高さも前方に行くにつれて低くなるように構成されている。このため、ショッピングカート１０は、他のショッピングカート１０の後方から前後に重ねること、即ちネスティングを行えるようになっている。即ち、不使用時に他のショッピングカート１０の後方から別のショッピングカート１０を近づけると、後方のショッピングカート１０の前端部、即ちベースフレーム１１０の前側部分が、前方のショッピングカート１０の拡開したベースフレーム１１０の後部内に進入する。これにより、複数のショッピングカート１０を前後にネスティングを行えることができる。
【００４３】
以上のように、本実施形態に係るショッピングカート１０の基本構成を説明したが、この実施形態に係るショッピングカート１０は、ガード３５０を前方へ移動させてシート本体３１０とガード３５０との間を拡開させたときに、前方へ移動させたガード３５０をその位置に保持することができることを特徴としている。
【００４４】
このため、本発明の実施形態に係るショッピングカートのガード３５０は、図５に示すように、腹当接部３５１と、腹当接部３５１の下端から下方へ延出した股当接部３５２と、股当接部３５２の先端に形成された円柱状の回転部３５３と、から構成されている。回転部３５３には、軸３５４を嵌入する貫通孔３５３Ａが形成されており、さらに、円周表面上に凹部３５３Ｂが形成されている。この凹部３５３Ｂには、図５に示すように、弾性変形して撓み可能な回転止め３５５が装着されるようになっている。
【００４５】
回転止め３５５は断面略Ｕ状に形成されていて、回転部３５３の凹部３５３Ｂの平面に当接する平板状のベース部３５５Ａと、ベース部３５５Ａの底面から突出して凹部３５３Ｂの孔３５３Ｃに嵌入する凸部３５５Ｂと、ベース部３５５Ａの縁部から円弧状に延出した湾曲部３５５Ｃと、湾曲部３５５Ｃの縁部から延出してベース部３５５Ａに対して傾斜している傾斜部３５５Ｄと、傾斜部３５５Ｄの先端に形成されている突起部３５５Ｅと、から構成されている。上記回転止め３５５のベース部３５５Ａと凸部３５５Ｂと湾曲部３５５Ｃと傾斜部３５５Ｄと突起部３５５Ｅとは、樹脂にて一体物として形成されている。このため、回転止め３５５は、傾斜部３５５Ｄが湾曲部３５５Ｃを介してベース部３５５Ａ側方向に、即ち図示する矢印α方向に弾性変形して撓むようになっている。
【００４６】
このように構成されたガード３５０の回転部３５３は、シート本体３１０の座部３１１Ｂの前縁に凹設された受容部３６０に回転可能に支持される。
ここで、図６はシート本体３１０の座部３１１Ｂの前縁に凹設された受容部３６０の周辺を示す斜視図である。受容部３６０は、断面半円弧状の湾曲部３６１とその両側に設けられた側壁３６２，３６２とから形成されており、これら湾曲部３６１と側壁３６２，３６２とで画成される領域にガード３５０の回転部３５３が受容される。受容部３６０の各側壁３６２，３６２には、軸３５４を嵌入する貫通孔３６３が形成されている。
【００４７】
受容部３６０の湾曲部３６１には、背もたれ部３１１Ａ寄りの位置に回転止め３５５の突起部３５５Ｅが嵌入するロック溝３６５が形成されており、さらに、湾曲部３６１にはロック溝３６５から前方側へ離れた位置に回転止め３５５の突起部３５５Ｅよりも幅広に形成された凹部３６７が凹設されている。
【００４８】
このように構成された受容部３６０にガード３５０の回転部３５３が共通の軸３５４にて支持されて、ガード３５０が揺動可能にシート本体３１０に支持されるようになっている。
【００４９】
次に、本発明の実施形態に係るチャイルドシート３００におけるガード３５０の動作を説明する。
先ず、ガード３５０の使用状態、即ち、ガード３５０の腹当接部３５１を子供の腹部に当接させるガード使用状態について説明する。
チャイルドシート３００の座部３１１Ｂに子供を着座させて、ガード３５０の腹当接部３５１を子供の腹部に当接させたガード使用状態においては、図７に示すように、ガード３５０の下端部に取り付けた回転止め３５５の突起部３５５Ｅが受容部３６０の湾曲部３６１に凹設されている凹部３６７内に入っている。
【００５０】
凹部３６７は、回転止め３５５の突起部３５５Ｅよりも幅広に大きく形成されているため、突起部３５５Ｅは凹部３６７内に遊嵌している。これにより、突起部３５５Ｅが凹部３６７内で移動することができるため、突起部３５５Ｅの移動可能範囲に対応して、ガード３５０の腹当接部３５１も前後方向に若干揺動可能である。このようにガード３５０の腹当接部３５１をガード使用状態において前後に若干揺動できるが、ガード３５０の腹当接部３５１が座部３１１Ｂに着座した子供の腹部に適度な力で当接するようにベルト３８０の長さを調節することで、ガード３５０の使用状態における姿勢を選定することができる。このように、ガード３５０を子供の腹部に当接させたガード使用状態においては、ガード３５０及びベルト３８０によって子供の動きを規制し、子供がチャイルドシート３００から落下する等の事態を防止することができる。
【００５１】
次に、座部３１１Ｂに座った子供をチャイルドシートから降ろす場合のガード３５０の作用について説明する。
子供をチャイルドシートから降ろす場合には、先ずベルト３８０を緩めて、図７に示す状態におけるガード３５０に対して、前向きに移動するように力を加える。これにより、ガード３５０の回転部３５３自体に軸３５４まわりに回転しようとする力が働く。
【００５２】
このとき、受容部３６０の凹部３６７内に入っていた回転止め３５５の突起部３５５Ｅが、凹部３６７の壁面に当たり、さらに回転部３５３が回転しようとする方向に力が働くことで、回転止め３５５の突起部３５５Ｅが軸３５４側に向けて弾性変形して撓む。回転止め３５５が撓んで、さらにガード３５０を前向きに移動させる力が作用することで、回転部３５３が回転する。
【００５３】
回転部３５３の回転に伴って、回転止め３５５の突起部３５５Ｅはシート本体３１０の受容部３６０の湾曲部３６１を摺動する。そして、さらに回転部３５３が回転し、回転止め３５５の突起部３５５Ｅがロック溝３６５上に来ると、図８に示すように、突起部３５５Ｅがロック溝３６５に嵌入することになる。
【００５４】
突起部３５５Ｅがロック溝３６５に入った状態になると、ガード３５０が前方へ移動した位置でその姿勢が保持される。すなわち、ガード３５０を前方へ移動させてシート本体３１０とガード３５０との間を拡開させた際に、突起部３５５Ｅがロック溝３６５に入った状態でロックされることになり、前方へ移動させたガード３５０はその位置で姿勢が維持されることになる。なお、図８に示すガード３５０が前方へ移動して、その姿勢が維持されているロック状態を解除するためには、前述の動作と逆の動作を行えばよい。
【００５５】
このように、ガード３５０を前方へ移動させてシート本体３１０とガード３５０との間が拡開されて、その状態が維持されることから、チャイルドシート３００に対する子供の乗降に便利である。即ち、ガード３５０が開いた状態でその姿勢が固定されることにより、使用の利便性が向上する。
【００５６】
本発明の実施形態に係るショッピングカート１０におけるチャイルドシート３００は、簡素な構造で、シート本体３１０とガード３５０との間が拡開し、しかもその姿勢をロックすることができる。特に、本発明の実施形態に係るショッピングカート１０におけるチャイルドシート３００では、ガード３５０の回転をロックする機構が、主に回転止め３５５とそれが嵌合するロック溝３６５とだけで実現できるため、構造が単純で、その製造コストも非常に安価である。
【００５７】
以上説明したが、本発明はその趣旨を逸脱しない範囲において様々な形態で実施することができる。たとえば、本発明のガード回転ロック機構が適用されるショッピングカートの構造は上記説明のものに限定されるものではない。
【００５８】
上述の実施形態では、本発明のガード回転ロック機構が、リクライニング機構を備えたチャイルドシートに適用される場合を例示したが、リクライニング機構の有無を問わないことは言うまでもない。また、チャイルドシート３００の収容部３１１を覆うカバー３１２の有無も任意である。
【００５９】
なお、本発明のガード回転ロック機構は、ショッピングカートに装備したチャイルドシートにだけ適用されるものではないことは勿論である。例えば、本発明のガード回転ロック機構は、ベビーカーのシートとそれに回転可能に取り付けたガードに適用することができるし、自動車に搭載して搭乗した子供が着座するチャイルドシートに適用することもできる。また、屋内で使用する子供用ハイチェアなどにも本発明を適用できることは明らかである。
【図面の簡単な説明】
【００６０】
【図１】本発明の実施形態に係るショッピングカートを示す前方斜視図である。
【図２】図１のショッピングカートの後方斜視図である。
【図３】図１のショッピングカートの正面図である。
【図４】図１のショッピングカートの側面図である。
【図５】本発明の実施形態に係るチャイルドシートのガードを示す斜視図である。
【図６】図５のチャイルドシートの受容部周辺の構造を示す斜視図である。
【図７】本発明の実施形態に係るガードの回転機構を示す断面図である。
【図８】本発明の実施形態に係るガードの回転機構を示す断面図である。
【図９】従来のチャイルドシートを示す斜視図である。
【図１０】図９におけるガードの回転機構を示す斜視図である。
【符号の説明】
【００６１】
１０  ショッピングカート
１００  カート本体
１１０  ベースフレーム
１１１Ｒ，１１１Ｌ  棒材
１１２  第１連結棒材
１１４  第１架設材
１１４Ｒ，１１４Ｌ  起立部
１１４Ｃ  横部
１１５  金属棒部
１１５Ａ  緩斜部
１１５Ｂ  段差部
１１５Ｃ  水平部
１１５Ｓ  ストッパー
１１８  緩衝部材
１２０  シート支持フレーム
１２１Ｒ，１２１Ｌ  第１垂直棒材
１２２Ｒ，１２２Ｌ  第１傾斜棒材
１２３  第２連結棒材
１３０  ハンドルフレーム
１３１Ｒ，１３１Ｌ  第２垂直棒材
１３２Ｒ，１３２Ｌ  第２傾斜棒材
１３３Ｒ，１３３Ｌ  第３傾斜棒材
１３４  第３連結棒材
１３５  第３横架材
１３８  グリップ
２００  走行輪
３００  チャイルドシート
３１０  シート本体
３１１  収容部
３１１Ａ  背もたれ部
３１１Ｂ  座部
３１１Ｃ  肘置きガード部
３１２  カバー
３５０  ガード
３５１  腹当接部
３５２  股当接部
３５３  回転部
３５３Ａ  貫通孔
３５３Ｂ，３６７  凹部
３５３Ｃ  孔
３５４  軸
３５５  回転止め
３５５Ａ  ベース部
３５５Ｂ  凸部
３５５Ｃ  湾曲部
３５５Ｄ  傾斜部
３５５Ｅ  突起部
３６０  受容部
３６１  湾曲部
３６２  側壁
３６５  ロック溝
３７０  ヘッドサポート
３８０  ベルト
３９０  レバー
Ｓ  収容空間
【図１】
2007237813.tif 000003
【図２】
2007237813.tif 000004
【図３】
2007237813.tif 000005
【図４】
2007237813.tif 000006
【図５】
2007237813.tif 000007
【図６】
2007237813.tif 000008
【図７】
2007237813.tif 000009
【図８】
2007237813.tif 000010
【図９】
2007237813.tif 000011
【図１０】
2007237813.tif 000012